(57)【要約】【課題】構造がさらに簡単になるとともに、組立がさらに簡単になり、そして放熱の効果が優れる灯具を提供することができる。【解決手段】放熱器１、１’には一個の基座１１と一個の結合部材１２が含まれ、結合部材１２は基座１１の外周辺に設けられる。発光部材２は放熱器１、１’の基座１１に結合される。外カバー３、３’は結合部材１２に結合され、外カバー３、３’と放熱器１、１’の間には一個の収容空間３１が形成され、収容空間３１は第一風導引部１１１と第二風導引部１２１とは互いに連通するように設けられる。放熱ファン４は基座１１に結合される。回路板５は収容空間３１に結合され、回路板５は発光部材２および放熱ファン４と電気的に接続するように形成される。その内に、第一風導引部１１１は基座１１に設けられ、第二風導引部１２１は結合部材１２と基座１１の間に、または外カバー３、３’に設けられるように構成されている。【選択図】  図１
2012074263.tif 000002
【特許請求の範囲】
【請求項１】
一個の放熱器（１、１’）、一個の発光部材（２）、一個の外カバー（３、３’）、一個の放熱ファン（４）および一個の回路板（５）を有する灯具において、放熱器（１、１’）には一個の基座（１１）と一個の結合部材（１２）が含まれ、基座（１１）には一個の第一風導引部（１１１）と一個の固定部（１１２）が含まれ、結合部材（１２）は基座（１１）の外周辺に設けられ、そして結合部材（１２）と基座（１１）の間には一個の第二風導引部（１２１）が形成され、発光部材（２）は放熱器（１、１’）の基座（１１）に結合され、外カバー（３、３’）は放熱器（１、１’）の結合部材（１２）に結合され、外カバー（３、３’）と放熱器（１、１’）の間には一個の収容空間（３１）が形成され、収容空間（３１）は第一風導引部（１１１）と第二風導引部（１２１）とが互いに連通するように設けられ、放熱ファン（４）は基座（１１）の固定部（１１２）に結合され、回路板（５）は収容空間（３１）に結合され、回路板（５）は発光部材（２）および放熱ファン（４）と電気的に接続するように形成され、そして回路板（５）にも一個の電気連接部材（５１）が電気的に接続され、電気連接部材（５１）の一端は外カバー（３、３’）の外部まで貫穿して延伸するように形成されることを特徴とする灯具。
【請求項２】
基座（１１）には一個の座板（１１ａ）が含まれ、座板（１１ａ）の外周縁には一個の環状壁（１１ｂ）が形成され、第一風導引部（１１１）は座板（１１ａ）と環状壁（１１ｂ）の隣接する部位に形成される少なくとも一個の通路、または座板（１１ａ）の中央部位に形成される少なくとも一個の通路からなることを特徴とする請求項１に記載の灯具。
【請求項３】
結合部材（１２）には一個の結合環状部（１２ａ）が含まれ、結合環状部（１２ａ）は複数個の連接リブ（１２ｂ）で環状壁（１１ｂ）と連接し、第二風導引部（１２１）はそれぞれの連接リブ（１２ｂ）の間に形成される複数個の通路からなることを特徴とする請求項２に記載の灯具。
【請求項４】
結合部材（１２）は環状壁（１１ｂ）の外周面に形成される複数個の突出部材（１２ｃ）からなり、第二風導引部（１２１）はそれぞれの突出部材（１２ｃ）の間に形成される複数個の通路からなることを特徴とする請求項２に記載の灯具。
【請求項５】
結合部材（１２）には環状フランジ（１２ｄ）が含まれ、環状フランジ（１２ｄ）の表面には複数個の支持部材（１２ｅ）が突出するように形成され、第二風導引部（１２１）はそれぞれの支持部材（１２ｅ）の間に半径方向に形成される複数個の通路からなることを特徴とする請求項２に記載の灯具。
【請求項６】
結合部材（１２）の環状フランジ（１２ｄ）と基座（１１）の環状壁（１１ｂ）の隣接する部位には一個の円弧面が形成されることを特徴とする請求項５に記載の灯具。
【請求項７】
放熱ファン（４）には一個のファンフレーム（４１）が含まれ、ファンフレーム（４１）の外側の周縁には一個の当接部（４１１）が形成され、当接部（４１１）は基座（１１）と結合するように形成されることを特徴とする請求項１、２、３、４、５または６に記載の灯具。
【請求項８】
外カバー（３、３’）の一端には一個の開口（３２）が設けられ、そしてもう一方の一端には一個の貫穿孔（３３）が設けられ、外カバー（３、３’）は開口（３２）の端縁によって結合部材（１２）に固定され、回路板（５）の電気連接部材（５１）の一端は外カバー（３、３’）の貫穿孔（３３）から貫穿して延伸するように形成されることを特徴とする請求項１、２、３、４、５または６に記載の灯具。
【請求項９】
一個の放熱器（１、１’）、一個の発光部材（２）、一個の外カバー（３、３’）、一個の放熱ファン（４）および一個の回路板（５）を有する灯具において、放熱器（１、１’）には一個の基座（１１）と一個の結合部材（１２）が含まれ、基座（１１）には一個の第一風導引部（１１１）と一個の固定部（１１２）が含まれ、結合部材（１２）は基座（１１）の外周辺に設けられ、発光部材（２）は放熱器（１、１’）の基座（１１）に結合され、外カバー（３、３’）は放熱器（１、１’）の結合部材（１２）に結合され、外カバー（３、３’）には一個の第二風導引部（３４）が設けられ、そして外カバー（３、３’）と放熱器（１、１’）の間には一個の収容空間（３１）が形成され、収容空間（３１）は第一風導引部（１１１）と第二風導引部（３４）とは互いに連通するように設けられ、放熱ファン（４）は基座（１１）の固定部（１１２）に結合され、回路板（５）は収容空間（３１）に結合され、回路板（５）は発光部材（２）および放熱ファン（４）と電気的に接続するように形成され、そして回路板（５）にも一個の電気連接部材（５１）が電気的に接続され、電気連接部材（５１）の一端は外カバー（３、３’）の外部まで貫穿して延伸するように形成されることを特徴とする灯具。
【請求項１０】
基座（１１）には一個の座板（１１ａ）が含まれ、座板（１１ａ）の外周縁には一個の環状壁（１１ｂ）が形成され、第一風導引部（１１１）は座板（１１ａ）と環状壁（１１ｂ）の隣接する部位に形成される少なくとも一個の通路、または座板（１１ａ）の中央部位に形成される少なくとも一個の通路からなることを特徴とする請求項９に記載の灯具。
【請求項１１】
第二風導引部（３４）は外カバー（３、３’）を貫穿する複数個の通路からなることを特徴とする請求項１０に記載の灯具。
【請求項１２】
放熱ファン（４）には一個のファンフレーム（４１）が含まれ、ファンフレーム（４１）の外側の周縁には一個の当接部（４１１）が形成され、当接部（４１１）は基座（１１）と結合するように形成されることを特徴とする請求項９、１０または１１に記載の灯具。
【請求項１３】
外カバー（３、３’）の一端には一個の開口（３２）が設けられ、そしてもう一方の一端には一個の貫穿孔（３３）が設けられ、外カバー（３、３’）は開口（３２）の端縁によって結合部材（１２）に固定され、回路板（５）の電気連接部材（５１）の一端は外カバー（３、３’）の貫穿孔（３３）から貫穿して延伸するように形成されることを特徴とする請求項９、１０または１１に記載の灯具。
【発明の詳細な説明】
【技術分野】
【０００１】
本発明は、灯具に関するもので、特に放熱器によって中空のカバー体を構成することができる灯具に係るものである。
【背景技術】
【０００２】
従来の放熱モジュールを有する灯具の構造としては、例えば中華民国公告第Ｍ３３９６３６号「ＬＥＤ灯の放熱構造（一）」の新型の構造においては、複数個の放熱片を利用して放熱を行うことができるようにとしたものがある。
【０００３】
また、従来の灯具の構造としては、例えば図８に示される従来の灯具８には一個の放熱本体８１が含まれ、放熱本体８１の外周面には複数個のフィン８１１が設けられる。また、放熱本体８１の一端には一個の発光部材８２が結合され、そして他端には一個の電気連接部材８３が設けられ、電気連接部材８３は発光部材８２に電気的に接続される。これにより、電気連接部材８３が通電した後、例えば回路板などの制御ユニットによって発光部材８２が光を発するように制御することができる。これにより、発光部材８２と電気連接部材８３が作動の過程において熱量が生じた場合、放熱本体８１の熱伝導の作用を利用して放熱を補助できるようにしたものがある。
【０００４】
しかし、従来の灯具８の放熱本体８１によれば、発光部材８２と電気連接部材８３が作動時において生じる熱量を吸収することができるが、放熱本体８１の体積も大きくならないと、発光部材８２と電気連接部材８３に予定される放熱作用を提供することができない。そのため、放熱本体８１の全体の体積は少々膨大になるため、使用上において不便になるという問題点があった。また、灯具８には通風孔と放熱ファンのような設計を有しないため、発光部材８２と電気連接部材８３は良好な通風と放熱の効果を備えておらず、それにより、灯具８の全体の放熱の効果に悪影響を与えてしまうため、発光部材８２の使用寿命は低くなるという問題点があった。
【０００５】
上述した従来の灯具８の問題点を解決するべく、例えば図９に示される従来の灯具９には一個の第一外カバー９１、一個の第二外カバー９２、一個の回路板９３、一個の放熱モジュール９４と一個の発光部材９５が含まれる。第一外カバー９１には複数個の風進入孔９１１が設けられ、第二外カバー９２には複数個の風排出孔９２１が設けられ、そして回路板９３、放熱モジュール９４と発光部材９５は第一外カバー９１と第二外カバー９２が互いに組み立てられて構成される中空カバー体の内に設けられる。その内に放熱モジュール９４は一個の放熱ファン９４１と一個の放熱器９４２により構成され、回路板９３は放熱ファン９４１と発光部材９５に電気的に接続され、発光部材９５は放熱器９４２と結合するようにとしたものがある。
【０００６】
発光部材９５が通電によって熱エネルギーが生じる時、回路板９３を利用して放熱ファン９４１が作動するように駆動することにより、それぞれの風進入孔９１１を経由して外部の空気を引き入れ、そして放熱器９４２を利用して発光部材９５から生じる熱エネルギーを伝導し、それからさらに放熱ファン９４１を利用して外部の気流をそれぞれの風排出孔９２１を経由して熱エネルギーを外部空間へ放出することにより、予定される放熱効果を達成することができるため、発光部材９５の使用寿命を延ばすことができる。
【先行技術文献】
【特許文献】
【０００７】
【特許文献１】中華民国公告第Ｍ３３９６３６号
【発明の概要】
【発明が解決しようとする課題】
【０００８】
上述した従来の実施例２の灯具９の構造においては、灯具９は第一外カバー９１と第二外カバー９２を組み立てて構成する中空カバー体を利用しなければ、回路板９３、放熱モジュール９４と発光部材９５などの部材を収容することができない。そのために全体の構造は相対的に複雑になり、組立上において比較的不便になるという問題点があった。また、第一外カバー９１と第二外カバー９２には他に風進入孔９１１と風排出孔９２１を加工して形成しなければならないため、製造上において不便になるともに、製造コストが高くなるという問題点があった。さらに、放熱ファン９４１が風進入孔９１１から引き入れる外部の気流は主に発光部材９５に対して放熱を行うものであり、風進入孔９１１と風排出孔９２１の設計から言えば、回路板９３によって提供できる放熱効果は依然として相当に限られているため、従来の灯具９の放熱効果を改善する必要がある。このように、上記のような従来の灯具をさらに改良しなければならない。
【０００９】
本発明はこのような問題点に鑑みて発明されたものであって、その主な目的とするところは、複雑な全体構造を簡単化にすることができる灯具を提供することである。
【００１０】
本発明の第二の目的は、組立上においてさらに簡単になる灯具を提供することである。
【００１１】
本発明の第三の目的は、放熱の効果がさらによくなる灯具を提供することである。
【課題を解決するための手段】
【００１２】
上記目的を達成するために、本発明による灯具は、以下のようになるものである。すなわち、
一個の放熱器、一個の発光部材、一個の外カバー、一個の放熱ファンおよび一個の回路板を有する。放熱器には一個の基座と一個の結合部材が含まれ、基座には一個の第一風導引部と一個の固定部が含まれ、結合部材は基座の外周辺に設けられ、そして結合部材と基座の間には一個の第二風導引部が形成される。発光部材は放熱器の基座に結合される。外カバーは放熱器の結合部材に結合され、外カバーと放熱器の間には一個の収容空間が形成される。収容空間は第一風導引部と第二風導引部は互いに連通するように設けられる。放熱ファンは基座の固定部に結合される。回路板は収容空間に結合され、回路板は発光部材および放熱ファンと電気的に接続するように形成され、そして回路板にも一個の電気連接部材が電気的に接続される。電気連接部材の一端は外カバーの外部まで貫穿して延伸するように形成される。
【００１３】
また、本発明による灯具は、基座には一個の座板が含まれ、座板の外周縁には一個の環状壁が形成され、第一風導引部は座板と環状壁の隣接する部位に形成される少なくとも一個の通路、または座板の中央部位に形成される少なくとも一個の通路からなることもできる。また、結合部材には一個の結合環状部が含まれ、結合環状部は複数個の連接リブで環状壁と連接し、第二風導引部はそれぞれの連接リブの間に形成される複数個の通路からなることもできる。また、結合部材は環状壁の外周面に形成される複数個の突出部材からなり、第二風導引部はそれぞれの突出部材の間に形成される複数個の通路からなることもできる。また、結合部材には環状フランジが含まれ、環状フランジの表面には複数個の支持部材が突出するように形成され、第二風導引部はそれぞれの支持部材の間に半径方向に形成される複数個の通路からなることもできる。また、結合部材の環状フランジと基座の環状壁の隣接する部位には一個の円弧面が形成されることもできる。また、放熱ファンには一個のファンフレームが含まれ、ファンフレームの外側の周縁には一個の当接部が形成され、当接部は基座と結合するように形成することもできる。また、外カバーの一端には一個の開口が設けられ、そしてもう一方の一端には一個の貫穿孔が設けられ、外カバーは開口の端縁によって結合部材に固定され、回路板の電気連接部材の一端は外カバーの貫穿孔から貫穿して延伸するように形成することもできる。
【００１４】
本発明による灯具はまた、一個の放熱器、一個の発光部材、一個の外カバー、一個の放熱ファンおよび一個の回路板を有する。放熱器には一個の基座と一個の結合部材が含まれ、基座には一個の第一風導引部と一個の固定部が含まれ、結合部材は基座の外周辺に設けられる。発光部材は放熱器の基座に結合される。外カバーは放熱器の結合部材に結合され、外カバーには一個の第二風導引部が設けられ、そして外カバーと放熱器の間には一個の収容空間が形成され、収容空間は第一風導引部と第二風導引部とは互いに連通するように設けられる。放熱ファンは基座の固定部に結合される。回路板は収容空間に結合され、回路板は発光部材および放熱ファンと電気的に接続するように形成され、そして回路板にも一個の電気連接部材が電気的に接続され、電気連接部材の一端は外カバーの外部まで貫穿して延伸するように形成されることもできる。
【００１５】
さらに、本発明による灯具は、基座には一個の座板が含まれ、座板の外周縁には一個の環状壁が形成され、第一風導引部は座板と環状壁の隣接する部位に形成される少なくとも一個の通路、または座板の中央部位に形成される少なくとも一個の通路からなることもできる。また、第二風導引部は外カバーを貫穿する複数個の通路からなることもできる。また、放熱ファンには一個のファンフレームが含まれ、ファンフレームの外側の周縁には一個の当接部が形成され、当接部は基座と結合するように形成することもできる。また、外カバーの一端には一個の開口が設けられ、そしてもう一方の一端には一個の貫穿孔が設けられ、外カバーは開口の端縁によって結合部材に固定され、回路板の電気連接部材の一端は外カバーの貫穿孔から貫穿して延伸するように形成することもできる。
【発明の効果】
【００１６】
本発明の灯具によれば、複雑な全体構造を簡単化にすることができるという利点がある。
【００１７】
本発明の灯具によれば、組立上においてさらに簡単になるという利点がある。
【００１８】
本発明の灯具によれば、放熱の効果がさらによくなるという利点がある。
【図面の簡単な説明】
【００１９】
【図１】図１は、本発明の実施例１の灯具の分解斜視図である。
【図２】図２は、本発明の実施例１の灯具の組み立てられた状態の断面図である。
【図３】図３は、本発明の実施例１の灯具の放熱器のもう一つの実施形態の平面図である。
【図４】図４は、本発明の実施例２の灯具の分解斜視図である。
【図５】図５は、本発明の実施例２の灯具の組み立てられた状態の断面図である。
【図６】図６は、本発明の実施例３の灯具の分解斜視図である。
【図７】図７は、本発明の実施例３の灯具の組み立てられた状態の断面図である。
【図８】図８は、従来の実施例１の灯具の外観斜視図である。
【図９】図９は、従来の実施例２の灯具の組み立てられた状態の断面図である。
【発明を実施するための形態】
【００２０】
本発明の実施の形態について、以下、図面を参照して説明する。
【実施例１】
【００２１】
図１は本発明の実施例１の灯具の分解斜視図で、図２は本発明の実施例１の灯具の組み立てられた状態の断面図である。図１、２を参照すると、本発明の実施例１の灯具には一個の放熱器１、一個の発光部材２、一個の外カバー３、一個の放熱ファン４および一個の回路板５が含まれる。その内に放熱器１は発光部材２が結合するのに用いられ、外カバー３は放熱器１と結合して一個の中空カバー体を形成し、中空カバー体は放熱ファン４と回路板５を収容するのに用いられる。放熱ファン４には他に放熱器１が結合されることにより、放熱ファン４は放熱器１と併せて発光部材２に所要の放熱効果を提供することができる。回路板５は放熱ファン４と電気的に接続することにより、放熱ファン４が回転して作動するように駆動させることができる。
【００２２】
放熱器１には一個の基座１１と一個の結合部材１２が含まれる。基座１１には一個の第一風導引部１１１と一個の固定部１１２が設けられ、その内に第一風導引部１１１は各種の気流が通過することができる構造の設計からなり、そして風が進入したり排出したりする効果を提供することができる（第一風導引部１１１が風進入または風排出のいずれの効果を有するかは放熱ファン４の回転方向によって定められる）。固定部１１２は各種の放熱ファン４が結合して固定することができる構造の設計からなる。また、結合部材１２は基座１１の外周辺に設けられ、そして結合部材１２と基座１１の間には一個の第二風導引部１２１が形成される。第二風導引部１２１も同様に各種の気流が通過することができる構造の設計からなり、さらに風が進入したり排出したりする効果を提供することができる（第二風導引部１２１が風進入または風排出のいずれの効果を有するかは放熱ファン４の回転方向によって定められる）。
【００２３】
実施例１において、基座１１には一個の座板１１ａが含まれ、座板１１ａの外周縁には一個の環状壁１１ｂが形成される。これにより、第一風導引部１１１は座板１１ａと環状壁１１ｂの隣接する部位に形成される少なくとも一個の通路からなり、通路は風の排出孔の用途として利用することができる。固定部１１２は環状壁１１ｂの内側に形成される複数個の固定柱からなる。また、結合部材１２には一個の結合環状部１２ａが含まれ、結合環状部１２ａは複数個の連接リブ１２ｂで環状壁１１ｂと連接する。これにより、第二風導引部１２１はそれぞれの連接リブ１２ｂの間に形成される複数個の通路からなり、通路は風の進入孔の用途として利用することができる。或いは、図３に示すように、結合部材１２も環状壁１１ｂの外周面に形成される複数個の突出部材１２ｃからなり、第二風導引部１２１はそれぞれの突出部材１２ｃの間に形成される複数個の通路からなり、通路は風の進入孔の用途として利用することができる。
【００２４】
発光部材２は放熱器１の基座１１に結合され、発光部材２は選択的に発光ダイオード（ＬＥＤ）、ランプまたはその他の通電することによって光を発することができる部材からなることができる。実施例１において、発光部材２は放熱器１の座板１１ａの一方の側の表面に結合される。
【００２５】
外カバー３は放熱器１の結合部材１２に結合され、外カバー３と放熱器１の間には一個の収容空間３１が形成される（図４参照）。収容空間３１は第一風導引部１１１と第二風導引部１２１とが互いに連通するように設けられる。実施例１において、外カバー３は半円形の中空カバー体からなり、中空カバー体の一端には一個の開口３２が設けられ、そしてもう一方の一端には一個の貫穿孔３３が設けられる。また、外カバー３は開口３２の端縁によって結合部材１２の結合環状部１２ａに固定され、その固定方式は例えば溶接、粘着、係止などを採用することができる。
【００２６】
放熱ファン４は基座１１の固定部１１２に結合され、そして放熱ファン４は第一風導引部１１１と位置を合わせるように形成される。実施例１において、放熱ファン４には一個のファンフレーム４１が含まれ、ファンフレーム４１の内側には一個のファンホイール４２が回転自在に設けられる。ファンフレーム４１は複数個の固定部材４３（例えば、ねじまたは同様な固定機能を有する部材）によって固定部１１２（すなわち、複数個の固定柱）と互いに固定することにより、ファンフレーム４１は安定して基座１１に結合される。その他に、ファンフレーム４１の外側の周縁には一個の当接部４１１が形成される。当接部４１１は基座１１と結合し、そして当接部４１１によって第一風導引部１１１に流通する気流に逆流の現象が生じるのを防止することができる。
【００２７】
回路板５は収容空間３１に結合され、回路板５は発光部材２および放熱ファン４と電気的に接続するように形成される。回路板５は発光部材２が光を投射するのを制御するのに用いられ、さらに放熱ファン４のファンホイール４２が回転して作動するように駆動するのに用いられる。回路板５には他に一個の電気連接部材５１が電気的に接続され、電気連接部材５１の一端は外カバー３の外部まで露出するように形成される。実施例１において、回路板５の電気連接部材５１の一端は外カバー３の貫穿孔３３の外部まで貫穿して延伸するように形成される。
【００２８】
本発明の灯具を実際に使用する時、灯具を壁、天井板または机などの場所の灯具の座（図示なし）に取り付け、さらに電気連接部材５１を利用して一般の給電システムと外接することにより、発光部材２は通電して光を発することができ、そして放熱ファン４が作動するのに必要とする主要な電力の供給源を提供することができる。発光部材２と回路板５に通電することによって熱エネルギーが生じた時、第一風導引部１１１と第二風導引部１２１が収容空間３１と連通し、回路板５が収容空間３１に位置し、そして発光部材２が放熱器１に結合されるなどの構造設計により、第一風導引部１１１と第二風導引部１２１によって放熱ファン４と併せて発光部材２と回路板５に良好な通風と放熱効果を提供することができる。
【００２９】
更に詳しく言えば、図２に示す実施例１において、回路板５によって駆動放熱ファン４のファンホイール４２が回転して作動するように駆動した時、ファンホイール４２は第二風導引部１２１を経由して気流を引き入れ、気流は収容空間３１に進入することができ、そして回路板５に対して所要の放熱作用を行うことができる。また、放熱器１は発光部材２に通電することによって生じる熱エネルギーを伝導することにより、ファンホイール４２はさらに進んで気流を導引し、第一風導引部１１１を経由して熱エネルギーの熱量を外部空間まで伝導することができるため、よりよい放熱効果を達成することができるとともに、発光部材２の使用寿命を延ばすことができる。
【実施例２】
【００３０】
図４は本発明の実施例２の灯具の分解斜視図で、図５は本発明の実施例２の灯具の組み立てられた状態の断面図である。図４、５を参照すると本発明の実施例２の灯具には同様に一個の放熱器１’、一個の発光部材２、一個の外カバー３’、一個の放熱ファン４および一個の回路板５が含まれる。その内に、実施例２の発光部材２、放熱ファン４および回路板５は実施例１に掲示される発光部材２、放熱ファン４および回路板５とは外観において形が少し異なるだけで、その主な構造的特徴は略同じであるため、ここではその説明を割愛する。
【００３１】
本発明の実施例２の放熱器１’および外カバー３’の実施例１の放熱器１および外カバー３との主な差異は、放熱器１’の第一風導引部１１１は座板１１ａの中央部位に形成される少なくとも一個の通路からなること、そして放熱器１’には実施例１に掲示される第二風導引部１２１を設けていないことである。また、外カバー３’には他に収容空間３１と連通することができる一個の第二風導引部３４が設けられる。実施例２において、第二風導引部３４は外カバー３’を貫穿する複数個の通路からなり、通路は風の進入孔の用途として利用することができる。これにより、図５に示す実施例２において、放熱ファン４のファンホイール４２が回転するよう作動される時、ファンホイール４２も同様に第二風導引部３４を経由して気流を引き入れることにより、気流は第一風導引部１１１を経由して回路板５と発光部材２の作動時に生じる熱量を外部空間まで伝導することができるため、よりよい放熱効果を達成することができるとともに、発光部材２の使用寿命を延ばすことができる。
【実施例３】
【００３２】
図６は本発明の実施例３の灯具の分解斜視図で、図７は本発明の実施例３の灯具の組み立てられた状態の断面図である。図６、７を参照すると、本発明の実施例３の灯具には前記実施例と同様に一個の放熱器１”、一個の発光部材２、一個の外カバー３、一個の放熱ファン４および一個の回路板５が含まれる。その内に、実施例３の発光部材２、外カバー３、放熱ファン４および回路板５は実施例１に掲示される発光部材２、外カバー３、放熱ファン４および回路板５の主な構造的特徴と略同じであるため、ここではその説明を割愛する。
【００３３】
本発明の実施例３の放熱器１”の実施例１の放熱器１との主な差異は、放熱器１”の第一風導引部１１１が座板１１ａの中央部位に形成される少なくとも一個の通路からなることである。また、結合部材１２には環状フランジ１２ｄが含まれ、環状フランジ１２ｄの表面には複数個の支持部材１２ｅが突出するように形成され、外カバー３は開口３２の端縁によって結合部材１２の支持部材１２ｅに固定されることである。これにより、第二風導引部１２１はそれぞれの支持部材１２ｅの間に半径方向に形成される複数個の通路からなり、通路は風の進入孔の用途として利用することができる。図７に示す実施例３において、放熱ファン４のファンホイール４２が回転して作動する時、ファンホイール４２も同様に第二風導引部１２１を経由して気流を引き入れることにより、気流は第一風導引部１１１を経由して回路板５と発光部材２の作動時に生じる熱量を外部空間まで伝導することができるため、よりよい放熱効果を達成することができるとともに、発光部材２の使用寿命を延ばすことができる。
【００３４】
また、結合部材１２の環状フランジ１２ｄと基座１１の環状壁１１ｂの隣接する部位にはさらに一個の円弧面Ｆが形成されることにより、円弧面Ｆによって気流導引の効果を提供することができる。
【００３５】
上述した構造的特徴によって、本発明の灯具の主な利点は少なくとも下記の利点を有する。
【００３６】
第一は構造が簡単である。放熱器１、１’、１”の結合部材１２の設計によって外カバー３、３’は放熱器１、１’、１”と互いに組み立てられて収容空間３１が形成され、収容空間３１は発光部材２、放熱ファン４と回路板５を収容するのに用いられる。このように、図９に示される従来の灯具９と比較して、灯具９は第一外カバー９１と第二外カバー９２を利用しなければ、中空カバー体の設計を構成することができないのに対して、本発明の灯具によれば、放熱器１、１’、１”を直接利用してその内の一個の外カバーの構造に代替することができるため、全体の構造が相対的に比較的簡単になるとともに、製造上において便利になり、そして複雑な全体構造を簡単化することができる。
【００３７】
第二は組立上において簡単になる。本発明の灯具を実際に組み立てる時、発光部材２と放熱ファン４を放熱器１、１’、１”に結合するだけで、さらに回路板５を外カバー３、３’に結合した後、再び外カバー３、３’と放熱器１、１’、１”を互いに組み立てることにより、組立の作業を完成することができる。そのため、全体的な組立の手順が簡単になるため、組立上の便利性を高めることができる。
【００３８】
第三は放熱の効果がさらによくなる。第一風導引部１１１と第二風導引部１２１、３４が収容空間３１と連通すること、回路板５が収容空間３１に位置すること、さらに発光部材２が放熱器１、１’、１”に結合されることなどの構造的設計によって、放熱ファン４は外部の気流を引き入れて第一風導引部１１１と第二風導引部１２１、３４に流通することにより、それぞれ発光部材２と回路板５に対して放熱を行うことができるため、放熱効果を高めることができる。
【００３９】
上述の如く、本発明の灯具によれば、構造が簡単で、そして組立上において簡単になり、放熱の効果がさらによくなるという利点がある。
【００４０】
本発明は、その精神とび必須の特徴事項から逸脱することなく他のやり方で実施することができる。従って、本明細書に記載した好ましい実施例は例示のなものであり、限定のなものではない。
【符号の説明】
【００４１】
１，１’，１”    放熱器
１１    基座
１１ａ    座板
１１ｂ    環状壁
１１１    第一風導引部
１１２    固定部
１２    結合部材
１２ａ    結合環状部
１２ｂ    連接リブ
１２ｃ    突出部材
１２ｄ    環状フランジ
１２ｅ    支持部材
１２１    第二風導引部
２    発光部材
３，３’    外カバー
３１    収容空間
３２    開口
３３    貫貫穿孔
３４    第三風導引部
４    放熱ファン
４１    ファンフレーム
４１１    当接部
４２    ファンホイール
４３    固定部材
５    回路板
５１    連接部材
８    灯具
８１    放熱本体
８１１    フィン
８２    発光部材
８３    電気連接部材
９    灯具
９１    第一外カバー
９１１    風進入孔
９２    第二外カバー
９２１    風排出孔
９３    回路板
９４    放熱モジュール
９４１    放熱ファン
９４２    放熱器
９５    発光部材
Ｆ    円弧面
【図１】
2012074263.tif 000003
【図２】
2012074263.tif 000004
【図３】
2012074263.tif 000005
【図４】
2012074263.tif 000006
【図５】
2012074263.tif 000007
【図６】
2012074263.tif 000008
【図７】
2012074263.tif 000009
【図８】
2012074263.tif 000010
【図９】
2012074263.tif 000011